(57)【要約】【課題】電子部品の固定手段及びこれを備えたハンドラーを提供する。【解決手段】本発明の実施形態に係るハンドラーは押しブロック１２０は、テストトレイ２０、このテストトレイ２０に行列で配列され、電子部品を収納するソケット１１０、このソケット１１０に収納された電子部品を固定するラッチを含む。このハンドラーにおいて、テストトレイ２０ノの下からラッチを上方に押して電子部品をラッチから解放させる押しピン１３２；押しピン１３２が形成される押し板１３０；及び水平方向の動力を垂直方向の動力に変換することによって、押し板１３０を垂直方向に移動させる押し板移動装置１４０を含む。したがって、本発明の押しブロックはテストトレイに電子部品をロードしたりアンロードする時、ピッカーと押しブロック間の干渉がなく、作業効率を増大させる。【選択図】図２
2008076400.tif 000002
【特許請求の範囲】
【請求項１】
テストトレイ、前記テストトレイに行列で配列され、電子部品を収納するソケット、前記ソケットに収納された電子部品を固定するラッチを含むハンドラーにおいて、
前記テストトレイの下から前記ラッチを上方に押して電子部品を前記ラッチから解放させる押しピン；
前記押しピンが形成される押し板；及び
水平方向の動力を垂直方向の動力に変換することによって、前記押し板を垂直方向に移動させる押し板移動装置を含むことを特徴とする押しブロック。
【請求項２】
前記押し板移動装置は、
前記ハンドラー本体に固設されたシリンダーベース；
前記シリンダーベースの上面に固定されたシリンダーと、前記シリンダーの動力を水平方向に伝達するピストンロードを含むシリンダーブロック；
前記ピストンロードの動力が伝達される運動方向変換板；
前記運動方向変換板の移動方向を転換させる案内孔が形成された案内板；
前記運動方向変換板の側面に設けられて前記案内孔に沿って移動する移動ロード； 及び
前記押し板を支持し、前記運動方向変換板から垂直方向の力が伝達される支持板を含むことを特徴とする請求項１に記載の押しブロック。
【請求項３】
前記移動ロードの一端には前記案内孔に沿って移動するベアリングがさらに設けられることを特徴とする請求項２に記載の押しブロック。
【請求項４】
前記案内孔は下段から上段に達するように所定の傾斜をなすことを特徴とする請求項３に記載の押しブロック。
【請求項５】
前記案内孔の上側及び下側には、それぞれ上側係止部と下側係止部がさらに形成されることを特徴とする請求項４に記載の押しブロック。
【請求項６】
前記案内板は前記運動方向変換板の両側面に対向して配設される一対の板であることを特徴とする請求項２に記載の押しブロック。
【請求項７】
前記押し板は、
前記支持板の上昇時、前記押しピンが前記ラッチを定位置から押すことができるように前記テストトレイに形成された案内孔に挿入される案内ピンをさらに備えることを特徴とする請求項２に記載の押しブロック。
【請求項８】
前記シリンダーブロックは前記一対の案内板の間に形成されることを特徴とする請求項６に記載の押しブロック。
【請求項９】
電子部品をテストするテスト部；
テストする複数の電子部品が待機するローディングスタッカー；
前記ローディングスタッカーの一側に配置され、テスト済みの電子部品を等級別に分類して収納するアンローディングスタッカー；
前記電子部品を収納して移動させるテストトレイ；
前記テスト部でテスト済みの電子部品を前記テストトレイからアンロードし、テストする電子部品を前記ローディングスタッカーから移送して前記テストトレイにロードする交換部；
前記ローディングスタッカーと前記交換部との間及び前記交換部と前記アンローディングスタッカーとの間で移動し、前記電子部品を移送する少なくとも一つの電子部品ピッカー；及び
前記交換部の下に配置されて前記テストトレイに収納された電子部品を前記テストトレイから解放させる押しピンが形成される押し板と、水平方向の動力を垂直方向の動力に変換することによって前記押し板を垂直方向に移動させる押し板移動装置を含む押しブロックを含むことを特徴とするハンドラー。
【請求項１０】
前記テストトレイは前記電子部品を収納する複数のソケットと、前記ソケットに形成されて前記電子部品を固定するラッチを備え、前記押しピンは前記テストトレイの下方から前記ラッチを押して前記ラッチを解放させることを特徴とする請求項９に記載のハンドラー。
【請求項１１】
前記押し板移動装置は、
前記ハンドラー本体に固設されたシリンダーベース；
前記シリンダーベースの上面に固定されたシリンダーと、前記シリンダーの動力を水平方向に伝達するピストンロードを含むシリンダーブロック；
前記ピストンロードの動力が伝達される運動方向変換板；
前記運動方向変換板の移動方向を転換させる案内孔が形成された案内板；
前記運動方向変換板の側面に設けられて前記案内孔に沿って移動する移動ロード； 及び
前記押し板を支持し、前記運動方向変換板から垂直方向の力が伝達される支持板を含むことを特徴とする請求項９に記載の押しブロック。
【請求項１２】
前記移動ロードの一端には前記案内孔に沿って移動するベアリングがさらに設けられることを特徴とする請求項１１に記載の押しブロック。
【請求項１３】
前記案内孔は下段から上段に達するように所定の傾斜をなすことを特徴とする請求項１１に記載の押しブロック。
【請求項１４】
前記案内孔の上側及び下側には、それぞれ上側係止部と下側係止部がさらに形成されることを特徴とする請求項１３に記載の押しブロック。
【請求項１５】
前記案内板は前記運動方向変換板の両側面に対向して配設される一対の板であることを特徴とする請求項１１に記載の押しブロック。
【請求項１６】
前記押し板は、
前記支持板の上昇時、前記押しピンが前記ラッチを定位置から押すことができるように前記テストトレイに形成された案内孔に挿入される案内ピンをさらに備えることを特徴とする請求項１１に記載の押しブロック。
【請求項１７】
前記シリンダーブロックは前記一対の案内板の間に形成されることを特徴とする請求項１５に記載の押しブロック。
【発明の詳細な説明】
【技術分野】
【０００１】
本発明はテストトレイのソケットに電子部品をロードしたり、収納された電子部品をアンロードできるように電子部品を固定するラッチを解放させる押しブロック及びこれを備えたハンドラーに関するものである。
【背景技術】
【０００２】
一般的にメモリ、非メモリ半導体素子等の電子部品はパッケージングした後、技能検査を行う。
【０００３】
電子部品は一種のジグ（ｊｉｇ）であるテストトレイに収納されたままハンドラーによりテスト装置に移送される。テスト装置はハンドラーの内部に設けたり、ハンドラーとは別個に構成して設けることができる。また、ハンドラーはテストする電子部品が待機するローディングスタッカー（ｌｏａｄｉｎｇ  ｓｔａｃｋｅｒ）とテスト済みの電子部品を等級別に分類して収納するアンローディングスタッカー（ｕｎｌｏａｄｉｎｇ  ｓｔａｃｋｅｒ）を備える。
【０００４】
したがって、ハンドラーの動作はローディングスタッカーから電子部品をテストトレイに移送するロード工程と、テストトレイに収納された電子部品をテストするテスト工程と、テスト済みの電子部品をテストトレイからアンローディングスタッカーでアンロードするアンロード工程を含む。
【０００５】
ハンドラーはロード工程及びアンロード工程のために少なくとも一つの電子部品ピッカーを備える。電子部品ピッカーはハンドラー本体に設けられるガントリー（ｇａｎｔｒｙ）に沿って移動可能にガントリーに設けられる。ピッカーは電子部品をローディングスタッカーからピックアップしたり、電子部品をアンローディングスタッカーに載置したり、電子部品をローディングスタッカーからテストトレイにまたはテストトレイからアンローディングスタッカーに移送する。
【０００６】
テストトレイには電子部品が収納されるソケットが行列で配列される。ソケットは収納される電子部品を固定させるラッチを含む。ラッチはソケットに収納される電子部品が外力により離脱しないように電子部品を固定する。また、ラッチが電子部品から解放される時、ソケットから電子部品を取り出すことができる。
【０００７】
従来のピッカーはラッチを押さえてラッチを電子部品から解放させる押しピン（ｐｕｓｈ  ｐｉｎ）を備える。押しピンはピッカーのノズルよりさらに突出設されているので、電子部品ピッカーが下降する時ノズルが電子部品に当接する前にソケットに設けられたラッチを開いてピッカーが電子部品をピックアップしたり載置することができるようにする。
【０００８】
しかし、この場合押しピンは電子部品ピッカー別に備えなければならないため、ピッカーのサイズを増加させる。また、電子部品をピックアップしたり収納する必要がない場合にもピッカーは押しピンを常に吊らなければならない問題点がある。
【０００９】
上記の問題点を解決するための通常のテストトレイでは、図１に示したように、ソケットに収納された電子部品からラッチを解放する別の押しブロックを備える。図１を参照すれば、テストトレイ２０の各ソケットにはボタン部３２と固定部３４を含むラッチ３０が設けられている。固定部３４はソケット２５に収納された電子部品を直接押圧して固定させるラッチの一部分であり、ボタン部３２はラッチ３０に押しピンが当接する所で、押しピンがこちらを押して電子部品からラッチを解放させるラッチの一部分である。
【００１０】
固定部３４とボタン部３２との間には回転軸（不図示）が形成されていて押しピンがボタン部３４の上段を押すと、固定部３４が持ち上げられて電子部品から解放される。また、押しピンがボタン部から除去されると、ラッチはトーションスプリングまたはコイルバネの弾性によりラッチが原状回復しながら電子部品を固定する。
【００１１】
したがって、ピッカーがソケット２５に電子部品を載置したりピックアップする時、押しピンがラッチ３０を解放させてテストトレイ２０が移動するようになる。この時ソケット２５から電子部品が離脱することを阻止するために、ラッチ３０により電子部品を固定している。
【００１２】
押しピン４２は押しブロック１０に設けられる。図１を参照すれば、押しブロック１０は多数の押しピン４２が設けられた押し板４０と、押し板４０を乗降運動させるシリンダーブロック６０を備える。押しピン４２はテストトレイのソケットに設けられるラッチの数に相応して形成することができる。
【００１３】
押し板４０はシリンダーブロック６０により乗降する。シリンダーブロック６０はシリンダー６２と、ピストン及びピストンロッド６４から構成される。シリンダー６２は交換部の上に設けられる固定フレーム５０に設けられており、ピストンロード６４はその一端が押し板４０に連結されているので、シリンダー６２が往復運動すると、押し板４０が乗降する。
【００１４】
固定フレーム５０は交換部の左右側に対向して配設される一対の固定フレーム５０ａ、５０ｂから構成される。
【００１５】
したがって、シリンダー６２が往復運動すると、押し板４０が乗降し、押し板４０に設けられた押しピン４２はソケットのラッチを押圧したり、またはラッチへの押圧を解除する。
【００１６】
ところが、前述の押しブロック１０は交換部に位置するテストトレイ２０の上に設けられるためにピッカーのピックアンドプレースの動作中、誤りが発生して電子部品がテストトレイ上から離脱したり他のソケット等に挟まれるなどの不良が発生する可能性がある。その場合は維持保守が難しくなるなどの問題がある。また、ピッカーとテストトレイとの間に押しブロック１０が形成されるために、ピッカーと押しブロックとの間に干渉が発生して電子部品の離脱が発生する不具合もある。
【００１７】
このようなピッカーと押しブロック１０との間の干渉を最小化するためにできるだけ広い固定フレーム５０を使用しなければならない。そして、シリンダーブロック６０は固定フレーム５０だけに設けることが好ましい。この場合、押し板４０が大きくなってシリンダーブロック６０の数が多くなり、シリンダーブロック６０を駆動する動力も増加するようになる。
【００１８】
また、押し板４０が広くなれば中央が沈むようになってピーカーのピックアンドプレース動作中に不良をさらに招く。すなわち、押し板４０が沈む地点の押しピンがラッチを正しく押さえることができなくてピッカーが電子部品をピックアップできないことがあり得る。
【００１９】
また、押し板４０が大きくなれば押し板４０の乗降動作をガイドする押し板ガイド７０を固定フレーム５０にさらに設けなければならない難しさがある。
【発明の開示】
【発明が解決しようとする課題】
【００２０】
本発明は、電子部品ピッカーと干渉が発生しない押しブロック及びこれを備えたハンドラーを提供することを目的とする。
【００２１】
本発明の他の目的は、簡単な構造の押しブロック及びこれを備えたハンドラーを提供することにある。
【課題を解決するための手段】
【００２２】
前記目的を達成するために、本発明の好ましい実施形態に係るハンドラー用押しブロックは、ラッチを上に押し上げて電子部品をラッチから解放させる押しピン；押しピンが形成される押し板；水平方向の動力を垂直方向の動力に変換することによって、押し板を垂直方向に移動させる押し板移動装置を含むことを特徴とする。
【００２３】
特に、押し板移動装置は、ハンドラー本体に固設されたシリンダーベース；シリンダーベース上面に固定されたシリンダーとシリンダー内で往復運動するピストンと、ピストンの動力を水平方向に伝達するピストンロッドを含むシリンダーブロック；ピストンロードの動力が伝達される運動方向変換板；運動方向変換板の移動方向を転換させる案内孔が形成された案内板；運動方向変換板の側面に設けられて案内孔に沿って移動する移動ロード；及び押し板を支持して運動方向変換板から垂直方向の力が伝達される支持板を含むことを特徴とする。
【００２４】
一方、本発明の他の好ましい実施形態に係るハンドラーは、電子部品をテストするテスト部；テストする複数の電子部品が置かれるローディングスタッカー；ローディングスタッカー側に配置されてテスト済みの電子部品を等級別に分類して収納するアンローディングスタッカー；電子部品を収納して移動させるテストトレイ；テスト部でテスト済みの電子部品をテストトレイからアンロードし、テストする電子部品をローディングスタッカーから移送してテストトレイにロードする交換部；ローディングスタッカーと交換部との間及び交換部とアンローディングスタッカーとの間を移動して、電子部品を移送する少なくともひとつの電子部品ピッカー；及び交換部の下に配置されてテストトレイに収納された電子部品をテストトレイから解放させる押しピンが形成される押し板と、水平方向の動力を垂直方向の動力に変換することによって、押し板を垂直方向に移動させる押し板移動装置を含む押しブロックを含むことを特徴とする。
【発明の効果】
【００２５】
本発明によれば、押しブロックがテストトレイの下に配置されて押しブロックとピッカーとの間の干渉が基本的に発生せず、ピッカーのピックアンドプレース動作で誤りが発生する時、維持保守が容易になる。また本発明の押しブロックは水平方向に作用する動力を垂直方向に変換できるようにすることで押しブロックをコンパクトに構成できる。
【００２６】
また本発明は押し板全面を下から支持しながら押圧するために押し板が大きくなっても押し板が部分的に沈む問題を防止でき、テストトレイの位置によって押しピンがラッチを開く程度が変わる不良を防止できる。
【発明を実施するための最良の形態】
【００２７】
以下、添付図面を参照して、本発明の好ましい実施形態について詳細に説明する。
【００２８】
図２は本発明の好ましい実施形態に係るハンドラー用押しブロック１２０とテストトレイの分解斜視図であり、図３は図２に示したハンドラー用押しブロック１２０の結合斜視図である。
【００２９】
ハンドラーは電子部品をテストトレイのソケットに収納してテスト装置に提供し、テスト済みの電子部品をテストトレイのソケットからアンロードする。
【００３０】
図２及び図３に示したように、本発明のハンドラー用押しブロック１２０はテストトレイ２０の下に配置される。
【００３１】
テストトレイ２０は電子部品を収納して運搬する一種のジグで、複数のソケット１１０が行列して配列されている。ソケット１１０は収納される電子部品を固定するラッチを備える。ラッチはソケットに収納される電子部品を固定するラッチの固定部１１４と、この固定部１１４を解放させるラッチのボタン部１１２を含む。固定部１１４はソケットに収納された電子部品を押さえて固定する。
【００３２】
ボタン部１１２は固定部１１４と連動して動くもので、ボタン部１１２が上方に移動すれば、固定部１１４も共に上昇してソケットに収納された電子部品から解放される。したがって、本発明のラッチは押しピンがボタン部１１２を押し上げる時、ラッチが回転する中心を提供する回転軸がボタン部１１２の一側に形成され、固定部１１４がボタン部１１２の他側に形成される。
【００３３】
押しブロック１２０はラッチを押し上げる押しピン１３２が設けられる押し板１３０と押し板１３０を乗降させる押し板移動装置１４０を備える。
【００３４】
押し板１３０には押しピン１３２がテストトレイのラッチの数だけ形成することができる。また、押しピン１３２が正確な位置でラッチを押すことができるように、押し板の移動方向を案内する案内ピン１３４をさらに具備できる。案内ピン１３４は押し板１３０から押しピン１３２よりさらに突設されている。
【００３５】
したがって、押し板１３０が上昇する時、案内ピン１３４は押しピン１３２がラッチのボタン部１１２に届く前にまずソケット１１０に形成された案内孔に挿入されながら、押しピン１３２が正確にラッチのボタン部１１２を押すことができるようにする。
【００３６】
押しピン１３２がラッチのボタン部１１２を上方に押すと、固定部１１４も共に上昇してラッチが電子部品から解放される。この時ピッカーがソケット１１０に収納された電子部品をピックアップしたり、空いているソケットに電子部品を載置する。
【００３７】
押し板移動装置１４０は押し板１３０の下に配置される。
【００３８】
押し板移動装置１４０は押し板を支持及び固定する支持板１８２と、支持板１８２を上下に運動させる運動方向変換板１７０と、運動方向変換板１７０に水平方向に動力を伝達するシリンダーブロック１６０と、このシリンダーブロック１６０の水平運動力を垂直方向に変換させる一対の案内板１８４と、案内板１８４が固設されるシリンダーベース１５０を含む。
【００３９】
シリンダーベース１５０はハンドラーのボディーに固定される。一対の案内板１８４はシリンダーベース１５０の長さ方向に沿って延びながら、互いに対向してシリンダーベース１５０の両側縁に立設される。一対の案内板１８４間のシリンダーベース１５０上にシリンダー１６２が固設されるようになる。
【００４０】
一方、一対の案内板１８４間には運動方向変換板１７０が設けられる。運動方向変換板１７０は四角形のフレームで、その中央に形成された空間部にはシリンダーブロック１６０が設けられる。そして運動方向変換板１７０はピストンロード１６４によりシリンダー１６２と連結している。
【００４１】
したがって、シリンダーの水平往復運動によって運動方向変換板１７０も共に往復運動する。
【００４２】
一方、運動方向変換板１７０の運動方向を水平方向から垂直方向に変換させるために、案内板１８４には下段から上段に達するように所定の傾斜を成す案内孔１８５が形成されている。
【００４３】
また、案内孔１８５に挟まれる移動ロード１７５が運動方向変換板１７０の側面に形成される。したがって、シリンダーブロック１６０により発生した水平運動力が運動方向変換板１７０に伝達されると、移動ロード１７５は案内孔１８５に沿って移動しながら運動方向変換板１７０の運動方向が水平から垂直に変換される。
【００４４】
移動ロード１７５が案内孔１８５内で円滑に摺動するように移動ロード１７５はベアリング１７７をさらに具備できる。
【００４５】
一方、案内孔１８５はその下段と上段にそれぞれ下側係止部１８８と、上側係止部１８６をさらに具備できる。したがってこの場合、案内孔１８５は下側係止部１８８と上側係止部１８６、及びその間の傾斜ホール１８７に区分されることができる。
【００４６】
上側係止部１８６及び下側係止部１８８は案内孔１８５内で移動ロード１７５が移動を阻止する地点を規定し、移動ロード１７５が安定して止まっているように固定する役割をする。
【００４７】
また、上側係止部１８６及び下側係止部１８８は水平方向に棒状に形成することができるが、この場合、移動ロード１７５が案内孔１８５に沿って移動すれば運動方向変換板１７０が支持板１８２を安全に押圧するようになる。
【００４８】
案内孔１８５は案内板１８４に複数個形成することができ、それによって移動ロード１７５も複数個であり得る。
【００４９】
運動方向変換板１７０は垂直方向に支持板１８２を押す。この支持板１８２は平板として押し板１３０を固定支持する。支持板１８２は押し板１３０より広い平板であり得る。
【００５０】
図４は移動ロード１７５が上側係止部１８６に載置された状態を示す。図５は移動ロード１７５が下側係止部１８６に載置した状態を示す。したがって、移動ロード１７５が図５に示したように案内孔１８５に沿って下側係止部１８８に移動すれば、押し板１３０が案内孔１８５の高さの差だけ低くなり押しピンがラッチから除去される。そうするとラッチが閉まる。その反対に移動ロード１７５が案内孔１８５に沿って上昇すれば、押し板１３０が案内孔１８５の高さの差だけ上昇し、押しピンがラッチを押して開く。
【００５１】
本発明は前述のように押しブロックがテストトレイの下に配置されるためにピッカーと押しブロックの干渉が全く発生せず、ピッカーのピックアンドプレース動作で不良が発生する可能性が小さくなる。
【００５２】
図６は本発明に係るソケット１１０の一例を示した分解斜視図であり、図７及び図８は図６のソケット１１０作動状態を示した断面図である。図６、図７及び図８に示したように、ソケット１１０はボタン部１１２と固定部１１４を備えるラッチと、このラッチの回転時、回転中心の役割をするヒンジ軸１１７と、ラッチを原状回復するコイルバネ１１８を備える。コイルバネ１１８はボタン部１１２に所定以上の力が加えられないと、固定部１１４がソケットに収納された電子部品を押すようにする。
【００５３】
図６に示したように、固定部１１４及びボタン部１１２からなるラッチはヒンジ軸１１７によりソケット１１０に回動可能に結合される。ヒンジ軸１１７の外周にはコイルバネ１１８が外嵌されるので、外力の解除時、固定部１１４はコイルバネ１１８により原状回復されるようになる。したがって、図７に示したように、コイルバネの弾性によりラッチが閉まっていると、電子部品をソケットの収納溝１１９に収納できず、図８に示したように、押しピン１３２が上昇してボタン部１１２を押してラッチを開けば、ソケットの収納溝１１９に電子部品を収納できるようになる。また押しピン１３２がラッチから除去されると、コイルバネの弾性力によりラッチは原状回復されて閉じる。
【００５４】
しかし、本発明に開示したボタン部１１２及び固定部１１４を備えるラッチの作動メカニズムは、図６、図７及び図８に示した構造に限定されない。例えばボタン部１１２と固定部１１４が一つの回転軸を中心にシーソー運動をするよう構成することも可能である。
【００５５】
図９は本発明の押しブロックを備えるハンドラーを示す。図９に示したように、本発明の実施形態に係るハンドラー２００はローディングスタッカー２１０と、アンローディングスタッカー２２０と、テスト部２４０と、ピッカー２５０と、交換部２３０の下に配置される押しブロックを備える。
【００５６】
ローディングスタッカー２１０はテストする電子部品がユーザートレイに収納されたまま待機する所で、ハンドラーを平面図で見る時、通常、ハンドラー２００の前方に配置される。
【００５７】
アンローディングスタッカー２２０はテスト済みの電子部品が等級別に分類されてユーザートレイに収納される所で、通常、ローディングスタッカー２１０の横に配置される。
【００５８】
ローディングスタッカー２１０から移送された電子部品はテストトレイ２２２に収納され、テストトレイ２２２に収納された状態でテスト済みの電子部品はアンローディングスタッカー２２０に移送される。
【００５９】
また、ハンドラーは交換部をさらに具備できる。交換部２３０はロード及びアンロード作業時、テストトレイが待機する所で、テスト済みの電子部品を収納したテストトレイから電子部品をアンローディングスタッカー２２０にアンロードすると、アンロードされたテストトレイのその位置にテストする電子部品をローディングスタッカー２１０から移送してロードする。ローディングスタッカー２１０と交換部２３０との間にはローディングバッファー２６０ａをさらに設けることができ、アンローディングスタッカー２２０と交換部２３０との間にアンローディングバッファー２６０ｂをさらに設けることができる。ローディングバッファー２６０ａ及びアンローディングバッファー２６０ｂはロード作業及びアンロード作業時、電子部品が少しの間待機する所で、バッファーリングの役割をしてロード作業及びアンロード作業の効率を増加させる。ローディングバッファー２６０ａ及びアンローディングバッファー２６０ｂはそれぞれ一対で構成することができ、各対はそれぞれ前後進しながら電子部品を一時的に収納できる。ピッカー２５０は複数のピッカーからなる。すなわち、図９を例に上げて説明すれば、ピッカーはローディングスタッカー２１０とローディングバッファー２６０ａとの間で移動する第１ローディングピッカー２５０ａと、ローディングバッファー２６０ａと交換部２３０との間で移動する第２ローディングピッカー２５０ｂと、アンローディングスタッカー２２０とアンローディングバッファー２６０ｂとの間で移動する第１アンローディングピッカー２５０ｄと、交換部２３０とアンローディングバッファー２６０ｂとの間で移動する第２アンローディングピッカー２５０ｃを含むことができる。ピッカーはハンドラーの上部に設けられるｘ、ｙガントリーに設けられて移動する。特に、第１ローディングピッカー２５０ａ及び第１アンローディングピッカー２５０ｄはｘ、ｙ方向に移動可能に設けられ、第２ローディングピッカー２５０ｂ及び第２アンローディングピッカー２５０ｃはｘ方向にだけ移動可能に設けられて効率を増大させることができる。
【００６０】
テスト部２４０は通常ハンドラーの後方部に配置され、複数のチャンバーで構成する。すなわち、テスト部２４０は電子部品を所定の温度に加熱する加熱チャンバーと、電子部品をテストするテストチャンバーと、テスト済みの電子部品を冷却させる冷却チャンバーから構成することができる。電子部品はテストトレイに収納されたまま加熱チャンバー、テストチャンバー及び冷却チャンバーを順次に移動する。
【００６１】
上述の本発明の押しブロックは交換部２３０の下に配置される。したがって、テストトレイに電子部品がロード及びアンロードされるために交換部に待機する時、押しブロックが上昇してテストトレイに設けられるソケットのラッチを開いて、電子部品がソケットにロード及びアンロードされるようにする。また、押しブロックが下降してラッチが閉じると、ラッチはソケットに収納される電子部品を固定してテストトレイがテスト部に移動する時、電子部品がテストトレイから離脱することを防止する。押しブロックの構造及び動作は上で説明したところと同様である。
【産業上の利用可能性】
【００６２】
本発明によれば、押しブロックがテストトレイの下に配置されて、押しブロックとピッカー間の干渉が基本的に発生せず、ピッカーのピックアンドプレース動作で誤りが発生する時、維持保守が容易になる。また本発明の押しブロックは水平方向に作用する動力を垂直方向に変換できるようにすることで押しブロックをコンパクトに構成できる。したがって、本発明の産業利用性はきわめて高いものといえる。
【００６３】
一方、本明細書内で本発明をいくつかの好ましい実施形態によって記述したが、当業者ならば、添付の特許請求の範囲に開示した本発明の範疇及び思想から外れずに、多くの変形及び修正がなされ得ることがわかるはずである。
【図面の簡単な説明】
【００６４】
【図１】従来のハンドラーに備わった押しブロックの斜視図である。
【図２】本発明の実施形態に係るハンドラー用押しブロックとテストトレイを示した分解斜視図である。
【図３】図２に示したハンドラー用押しブロックの結合斜視図である。
【図４】図２に示したハンドラー用押しブロック動作を示す断面図で、押しピンが上昇した時の図面である
【図５】図２に示したハンドラー用押しブロック動作を示す断面図で、押しピンが下降した時の図面である。
【図６】図２に示したテストトレイに設けられるソケットの分解斜視図である。
【図７】図６に示したソケットの作動を示す断面図で、ラッチが閉まっている状態を示す図面である。
【図８】図６に示したソケットの作動を示す断面図で、ラッチが開いている状態を示す図面である。
【図９】本発明のハンドラー用押しブロックを備えるハンドラーを示した平面図である。
【符号の説明】
【００６５】
２０    テストトレイ
２５、１１０    ソケット
１１２    ボタン部
１１４    固定部
１１８    コイルバネ
１２０    押しブロック
１３０    押し板
１３２    押しピン
１３４    案内ピン
１４０    押し板移動装置
１５０    シリンダーベース
１６０    シリンダーブロック
１６４    ピストンロード
１７０    運動方向変換板
１７５    移動用ロード
１８２    支持板
１８４    案内板
１８５    案内孔
１８６    上側係止部
１８７    傾斜部
１８８    下側係止部
２１０    ローディングスタッカー
２２０    アンローディングスタッカー
２２２    テストトレイ
２３０    交換部
２４０    テスト部
２５０    ピッカー
【図１】
2008076400.tif 000003
【図２】
2008076400.tif 000004
【図３】
2008076400.tif 000005
【図４】
2008076400.tif 000006
【図５】
2008076400.tif 000007
【図６】
2008076400.tif 000008
【図７】
2008076400.tif 000009
【図８】
2008076400.tif 000010
【図９】
2008076400.tif 000011
【手続補正書】
【提出日】平成19年12月14日(2007.12.14)
【手続補正１】
【補正対象書類名】明細書
【補正対象項目名】００３９
【補正方法】変更
【補正の内容】
【００３９】
シリンダーベース１５０はハンドラーのボディーに固定される。一対の案内板１８４はシリンダーベース１５０の長さ方向に沿って延びながら、互いに対向してシリンダーベース１５０の両側縁に立設される。一対の案内板１８４間のシリンダーベース１５０上にシリンダーブロック１６０が固設されるようになる。